(57)【特許請求の範囲】
【請求項１】
アウターブーツ内に取外し可能に挿入する熱可塑性プラスチックからなるインナーブーツであって、
前記アウターブーツ内に配設される底板部と、
該底板部に形成された足包部とを備えており、
前記底板部と前記足包部とは一体的に形成されており、
前記熱可塑性プラスチックの材料は酢酸ビニルの含有率の異なる複数のエチレン酢酸ビニル共重合体を含有させたものであり、
発泡成形されていることを特徴とするインナーブーツ。
【請求項２】
酢酸ビニルの含有率が、１０〜４５％であることを特徴とする請求項１記載のインナーブーツ。
【請求項３】
前記足包部の上部を略筒状に形成するとともにその前部を口縁から甲部にかけて切欠き部を形成した拡開可能な前開口部と、
該前開口部を閉鎖し得るように前記足包部に一体的に形成されている前開閉体とを備えていることを特徴とする請求項１又は２に記載のインナーブーツ。
【請求項４】
前記足包部の上部を略筒状に形成するとともにその後部を口縁から踵部にかけて切欠き部を形成した拡開可能な後開口部と、
該後開口部を閉鎖し得るように前記足包部に一体的に形成されている後開閉体とを備えていることを特徴とする請求項１又は２に記載のインナーブーツ。
【請求項５】
前記足包部の上部を略筒状に形成するとともにその側部を口縁から一方の踝部にかけて切欠き部を形成した拡開可能な側方開口部と、
該側方開口部を閉鎖し得るように前記足包部に一体的に形成されている側方開閉体とを備えていることを特徴とする請求項１又は２に記載のインナーブーツ。
【発明の詳細な説明】
【技術分野】
【０００１】
本発明は、アウターブーツ内に取外し可能に挿入するインナーブーツに関する。
【背景技術】
【０００２】
一般に、インナーブーツを用いるものにスポーツ用ブーツがある。スポーツ用ブーツには、例えば、スノーボード用ブーツやスキー用ブーツがある。このスノーボード用ブーツやスキー用ブーツにおいては、アウターブーツと使用者の足の間において、アウターブーツ内にフィットするスポーツ用インナーブーツを用いて装着されるようになっている。スポーツ用インナーブーツは、アウターブーツから取外し可能であったり、アウターブーツに固定されたりしている。
【０００３】
従来のスノーボード用ブーツは、例えば、ブーツ型のインナーブーツとアウターブーツとから構成されている。従来のスノーボード用インナーブーツは、特許文献１に示すように、布地で内外物をラミネートされており、内側が布地のコーティングが施されたアウターブーツ内に挿入されていた。また、インナーブーツとアウターブーツの間の、踵部分の上から足首レベルの上までの範囲、すなわち胴体部分の底部範囲においてクッションが設けられていた（たとえば、特許文献１（段落番号００１８参照））。
【先行技術文献】
【特許文献】
【０００４】
【特許文献１】特開２０００−１５２８０２号公報
【発明の概要】
【発明が解決しようとする課題】
【０００５】
しかしながら、従来のスノーボード又はスキー用インナーブーツにおいては、スノーボード又はスキーをした後に、その内側が極めて高い湿気を滞び、スノーボーダー若しくはスキーヤー自身又はレンタルショップにおいてそれを取り出して乾燥させるのを余儀なくさせていた。
【０００６】
しかもその乾燥には、インナーブーツの布地やクッションを乾かすのに非常に時間がかかるため、手間な作業となっていた。つまり、従来のスノーボード又はスキー用インナーブーツにおいては、手間のかかる作業を嫌い、容易にはインナーブーツの内側を洗うことができなかった。
【０００７】
また、従来のスノーボード又はスキー用インナーブーツにおいては、その内側で水虫菌若しくは白癬菌が繁殖し、別々のスノーボーダー又はスキーヤーに賃貸する際に、真菌症がうつされるおそれもあった。
【０００８】
このように、従来のスノーボード又はスキー用インナーブーツにおいては、スノーボード又はスキー用インナーブーツの使用における衛生上の問題点があった。その他のスポーツ用インナーブーツにおいても、同様の問題点があった。
【０００９】
そこで本発明の目的は、アウターブーツから取り出して容易に内側を洗うことができ、その乾燥時間が比較的短時間でできるインナーブーツを提供することにある。
【課題を解決するための手段】
【００１０】
本発明のインナーブーツは、アウターブーツ内に取外し可能に挿入する熱可塑性プラスチックからなるインナーブーツであって、前記アウターブーツ内に配設される底板部と、該底板部に形成された足包部とを備えており、前記底板部と前記足包部とは一体的に形成されており、前記熱可塑性プラスチックの材料はエチレン酢酸ビニル共重合体材料（ＥＶＡ）を含有させたものであることを特徴とする。
【００１１】
ここで、本発明のインナーブーツには、例えば、スポーツ用インナーブーツ、作業用インナーブーツが挙げられる。スポーツ用インナーブーツには、スノーボード用インナーブーツ、スキー用インナーブーツ、アルペンスキー用インナーブーツ、スケート用インナーブーツ、アイスホッケー用インナーブーツその他のウインタースポーツ用インナーブーツ、ローラースケート用インナーブーツ、インラインスケート用インナーブーツ、登山用インナーブーツ、バイク用インナーブーツ、ゴルフ用インナーブーツその他のアウトドアスポーツ用インナーブーツが挙げられる。作業用インナーブーツには、防寒靴用インナーブーツ、長靴用インナーブーツその他の作業用インナーブーツが挙げられる。本発明のインナーブーツは、好ましくは、スノーボード、スキー、スケート、ローラースケート、インラインスケート、アイススケートの用途に用いられ、より好ましくは、スノーボード、スキー又はこれらのウォータージャンプの用途に好適である。作業靴用インナーブーツの用途にも使用できる。また、これらのレンタルの用途にも好適である。
【００１２】
エチレン酢酸ビニル共重合体は、任意の形状に成型する形態適合性がよく、また、肉厚を部分部分で変化させることができる。この肉厚を部分部分で変化させることを、いわゆる偏肉構造という。たとえば、使用者の足の形状に沿うように、アウターブーツ側の外側はそのままで内側の肉厚を変化させた偏肉構造のインナーブーツとすることができる。この偏肉構造とした場合には、使用者の足にしっかりフィットすることができ肉厚が薄い部分では衝撃を吸収し難いが、肉厚が厚い部分では衝撃を吸収しやすい。
【００１３】
このインナーブーツの硬度は、２５〜５５°、好ましくは３０°以上４５°未満、より好ましくは３３〜４３°である。硬度が３０°未満になると、射出成形する場合にインナーブーツに、いわゆるヒケ発生が生じるときがある。また、硬度が４５°を超えると、いわゆる足入れの問題が生じる場合がある。ここで、ヒケとは、金型内にＥＶＡ樹脂が充填されず、正確なインナーブーツの製品形状として成形されないことをいう。また、足入れの問題とは、使用者がインナーブーツを履いたときに、硬くて足当たりが悪く痛いと感じる場合があることをいう。
【００１４】
このインナーブーツを、たとえば、スノーボード又はスキーのようなスポーツ用途に用いた場合には、防水性を有するとともに足入れ感がよく、足をしっかりホールドすることができる。このため、特に、力を入れるバランス平衡感覚性、瞬時に動くための俊敏性、クッション性が要求されるスポーツ用途に好適である。また、硬度が３０°以上４５°未満と比較的柔らかく、かつ、偏肉構造としているので、クッション材を用いることなくインナーブーツのみで耐衝撃性に優れたものとなる。また、柔らかいので肌触りなどの足入れ感がよい。作業靴用インナーブーツの用途に用いた場合には、足をしっかりホールドできるので、保温性、作業性に優れる。尚、足入れ感をさらに良くするために、インナーブーツの表面にシボ、貫通しない凹凸等の表面処理を施してもよい。
【００１５】
また、インナーブーツは、酢酸ビニルの含有率が、１０〜４５％、好ましくは１５％以上４５％未満、さらに好ましくは２５〜４３％であることが好ましい。
【００１６】
また、インナーブーツは、熱可塑性プラスチックの材料が酢酸ビニルの含有率の異なる複数のエチレン酢酸ビニル共重合体を含有させたものであることが好ましい。
【００１７】
また、インナーブーツは、足包部の上部を略筒状に形成するとともにその前部を口縁から甲部にかけて切欠き部を形成した拡開可能な前開口部と、この前開口部を閉鎖し得るように前記足包部に一体的に形成されている前開閉体とを備えていてもよい。
【００１８】
また、インナーブーツは、足包部の上部を略筒状に形成するとともにその後部を口縁から踵部にかけて切欠き部を形成した拡開可能な後開口部と、この後開口部を閉鎖し得るように前記足包部に一体的に形成されている後開閉体とを備えていてもよい。
【００１９】
また、インナーブーツは、足包部の上部を略筒状に形成するとともにその側部を口縁から一方の踝部にかけて切欠き部を形成した拡開可能な側方開口部と、この側方開口部を閉鎖し得るように前記足包部に一体的に形成されている側方開閉体とを備えていてもよい。
【発明の効果】
【００２０】
本発明の請求項１記載のインナーブーツによれば、アウターブーツ内に取外し可能に挿入する熱可塑性プラスチックからなるインナーブーツであって、アウターブーツ内に配設される底板部と、この底板部に形成された足包部とを備えており、底板部と足包部とは一体的に形成されており、熱可塑性プラスチックの材料はエチレン酢酸ビニル共重合体材料（ＥＶＡ）を含有させたものであるので、水に安定的であるという特性を有し、アウターブーツから取り出して容易に内側を洗うことができ、その乾燥時間が比較的短時間でできるという効果を奏する。
【００２１】
本発明の請求項２記載のインナーブーツによれば、請求項１記載のインナーブーツの奏する効果に加えて、酢酸ビニルの含有率が、１０〜４５％であるので、酢酸ビニルの含有率が低いものに比べて結晶性が低下し、柔軟性が増加し、使用者の足を支持するために十分な伸縮性と柔軟性を備えることができるという効果を奏する。
【００２２】
本発明の請求項３記載のインナーブーツによれば、請求項１又は２に記載のインナーブーツの奏する効果に加えて、低温度下でも高い柔軟性を発現させることが可能であり、履き心地を良好なものとすることができる。
【００２３】
本発明の請求項４記載のインナーブーツによれば、請求項１〜３のいずれかに記載のインナーブーツの奏する効果に加えて、足包部の上部を略筒状に形成するとともにその前部を口縁から甲部にかけて切欠き部を形成した拡開可能な前開口部と、この前開口部を閉鎖し得るように足包部に一体的に形成されている前開閉体とを備えているので、前開閉体を開いて足を挿入することで、使用者が履いたり脱いだりすることが容易にできるいう効果を奏する。
【００２４】
本発明の請求項５記載のインナーブーツによれば、請求項１〜３のいずれかに記載のインナーブーツの奏する効果に加えて、足包部の上部を略筒状に形成するとともにその後部を口縁から踵部にかけて切欠き部を形成した拡開可能な後開口部と、この後開口部を閉鎖し得るように足包部に一体的に形成されている後開閉体とを備えているので、後開閉体を開いて足を挿入することで、使用者が履いたり脱いだりすることが容易にできるいう効果を奏する。
【００２５】
本発明の請求項６記載のインナーブーツによれば、請求項１〜３のいずれかに記載のインナーブーツの奏する効果に加えて、足包部の上部を略筒状に形成するとともにその側部を口縁から一方の踝部にかけて切欠き部を形成した拡開可能な側方開口部と、この側方開口部を閉鎖し得るように足包部に一体的に形成されている側方開閉体とを備えているので、側方開閉体を開いて足を挿入することで、使用者が履いたり脱いだりすることが容易にできるいう効果を奏する。
【図面の簡単な説明】
【００２６】
【図１】図１はスポーツ用インナーブーツの実施の形態を示す斜視図である。
【図２】図２は図１のＢ−Ｂ線における部分断面図である。
【図３】図３はスポーツ用インナーブーツの使用状態を示す斜視図である。
【図４】図４はスポーツ用インナーブーツの第２の実施の形態を示す斜視図である。
【図５】図５はスポーツ用インナーブーツの第３の実施の形態を示す斜視図である。
【図６】図６はスポーツ用インナーブーツの第４の実施の形態を示す斜視図である。
【発明を実施するための形態】
【００２７】
（第１の実施形態）
以下、図面を参照しながら、本発明を実施するための形態を説明する。本実施の形態のスポーツ用インナーブーツ１００は、スノーボード又はスキー用インナーブーツに適用した一例である。図１はスノーボード又はスキー用に適用した場合のスポーツ用インナーブーツ１００の実施の形態を示す斜視図である。ここで、前部とは、図１に示すＡ−Ａ線におけるＡ１側をいい、後部とは、ＡーＡ線におけるＡ２側をいう。また、上部とは図１に占すＣ−Ｃ線におけるＣ１側をいい、下部とは、Ｃ−Ｃ線におけるＣ２側をいう。側部又は側方方向とは、Ｄ−Ｄ線における方向をいう。
【００２８】
本実施形態のスポーツ用インナーブーツ１００は、図１に示すように、底板部１０と、足包部２０と、前開口部３０と、前開閉体４０とを備えている。スポーツ用インナーブーツ１００は、熱可塑性プラスチックからなり、横断面略管状で、縦断面略Ｌ字状に形成されており、スノーボード又はスキー用アウターブーツ内に取外し可能に挿入して使用される。スポーツ用インナーブーツ１００の製品硬度は、２５〜５５°である。
【００２９】
底板部１０は、スノーボート又はスキー用のアウターブーツ内に挿入され、使用者の足裏とそのアウターブーツとの間に配設されて使用される。底板部１０は、踏み付け部と、踏まず部と、踵部とを備えている。使用者の土踏まずに相当する踏まず部は、他の踏み付け部や踵部と比べて肉厚に形成される偏肉構造を採用している。
【００３０】
足包部２０は、使用者の足を包む部位であり、一般的に靴で使用される用語で甲被部又はアッパー部といわれる部位に相当する部分である。足包部２０は、底板部１０に一体的に形成されている。足包部２０は、上面部２１と、側面部２２と、筒状部２３とを備えている。
【００３１】
上面部２１は、使用者の足のつま先を覆う部分である。上面部２１は、使用者のつま先の第２指に相当する一点Ａ１をピークとするように円弧を描くように形成されている。そして、Ａ１から踵部２７の中心Ａ２を通る中心線である図１に示すＡ−Ａ線において、一点Ａ１をピークにして左右非対称の形状となっている。
【００３２】
側面部２２は、使用者の足の側方から後方を覆う部分であり、スポーツ用インナーブーツ１００の両側に配設されている。この両側面部２２，２２は、上面部２１に連設し、スポーツ用インナーブーツ１００の後方の中央で一体化され、筒状部２３に連設される。
【００３３】
筒状部２３は、使用者の甲及び脛を被覆する部分であり、足包部２０の上部を略筒状に形成するとともに、前開口部３０を有している。
【００３４】
前開口部３０は、筒状部２３の前部を口縁２４から甲部２５にかけて両切欠き部２６，２６を形成した拡開可能な足包部２０の部分である。筒状部２３の後部は、使用者の脹脛にかけての部位である脹脛部２９の上端を使用者の脹脛に沿うようにさらに後部側に反らして形成されている。
【００３５】
前開閉体４０は、両切欠き部２６，２６間に設けられ、前開口部３０を閉鎖し得るように足包部２０の上面部２１に前部が一体的に形成されている。前開閉体４０は、筒状部２３の前開口部３０の内側に配設されており、使用の際には、前開閉体４０の前部を軸として前方方向に開き、必要に応じて前開口部３０を拡開して、使用者の足を筒状部２３からスポーツ用インナーブーツ１００内に入れることができる。
【００３６】
スポーツ用インナーブーツ１００の材料には、エチレンと酢酸ビニル（ＶＡ）とを含有するエチレン酢酸ビニル共重合体樹脂を用いる。エチレン酢酸ビニル共重合体は、エチレンと酢酸ビニルを高温、高圧でラジカル共重合してつくることができる。エチレン酢酸ビニル共重合体は、その特性から独立気泡の気泡体を得られ、多くの材料との混合ができる発泡プラスチックである。この発泡プラスチックは、柔軟性、ゴム弾性に優れた低温特性に富んだ熱可塑性プラスチックである。
【００３７】
本実施形態におけるスポーツ用インナーブーツ１００は、まず、何種類かの標準的な人の足サイズの足型を用意し、次いで、この足型に材料を発泡成形することによって製造される。この足型は、いわゆる偏肉構造に対応しており、成型品であるスポーツ用インナーブーツ１００が偏肉構造となるようにされている。成型に用いる材料は、低〜中ＶＡ含量グレードのエチレン酢酸ビニル共重合体樹脂が好適である。このスポーツ用インナーブーツ１００は、表面硬度が２５〜５５°、ＭＦＲ（Melt Flow Rate）値が７．０ｇ／１０ｍｉｎ〜５２．０ｇ／１０ｍｉｎ、酢酸ビニルの含有率が１０％〜４５％、ＥＶＡ９９．９５％、添加劑０．０５％のエチレン酢酸ビニル共重合体樹脂を含有する。
【００３８】
ここで、このスポーツ用インナーブーツ１００を構成するエチレン酢酸ビニル共重合体樹脂の表面硬度及びスポーツ用インナーブーツ１００の製品硬度は、ＪＩＳ  Ｓ  ６０５０に従って測定されるＳＲＩＳ０１０１（スプリング式  アスカーＣ型）である。また酢酸ビニルの含有率、材料の構成成分の配合比その他の百分率（％）の単位は、固形分の重量％である。
【００３９】
図２は、図１のＢ−Ｂ線における部分断面図である。スポーツ用インナーブーツ１００は、図２に示すように、布地等による内外物のラミネートやコーティングは施されていない単一の材料からなる一体成形インナーブーツである。また、スポーツ用インナーブーツ１００を偏肉構造とし、クッション等の別部材は設けられていない単一の材料からなる一体成形インナーブーツである。
【００４０】
スポーツ用インナーブーツ１００の偏肉構造は、図２に示すように、使用者の踵を包み込むように形成される踵部２７、使用者の踝を包み込むようにその踝に相当する部分である踝部２８、踝部２８の上方に使用者の脹脛に沿うように延びる脹脛部２９に採用している。すなわち、この偏肉構造は、底板部１０の踏まず部に加えて踵部２７から足首レベルの上を介して脹脛部２９までの範囲、すなわち使用者の足全体の範囲において使用者の足にフィットするような構造となっている。より具体的には、まず、踵部２７の後部を、略Ｌ字状にし、その上方を使用者のアキレス腱を保護するように徐々に肉厚に形成している。そして、踝部２８の中心を薄くしつつ周縁にいくにしたがって徐々に肉厚に形成する。さらに、使用者の脹脛の形状に沿うように脹脛部２９を徐々に肉薄に形成している。
【００４１】
スポーツ用インナーブーツ１００の材料は、エチレン酢酸ビニル共重合体（ＥＶＡ）、ポリオレフィン、ポリオレフィンエラストマー、熱可塑性樹脂エラストマー、これらの混合物が好ましい。また、スポーツ用インナーブーツ１００の材料の構成成分の配合比は、一のエチレン酢酸ビニル共重合体（ＥＶＡ）の含有率が０〜２８％、他のＥＶＡが１３〜４％、ポリオレフィンの含有率が３６〜４９％、熱可塑性樹脂エラストマーの含有率が６〜１６％であることが好ましい。そして、硬度が３０°以上４５°未満に調整されていることが好ましい。
【００４２】
この材料を用いることによって、成形時の流動性、低温下の耐衝撃性を向上させ、一定の弾性を備えた肉厚部材としての機能を有する完全防水の一体成形のスポーツ用インナーブーツ１００を製作することができる。スポーツ用インナーブーツ１００の作製方法は、発泡成形により容易に行うことができる。発泡成形法の方法としては、例えば、プレス発泡又は射出発泡が挙げられる。
【００４３】
スポーツ用インナーブーツ１００の材料には、発泡剤として、例えば、アゾジカルボンアミドやジニトロシペンタメチレンテトラミンなどを用いることができる。また、架橋剤にはジクミルパーオキサイドなど有機過酸化物を用いることができる。その他に顔料、滑剤、におい消し剤を含有していてもよい。におい消し剤を含有することによって、スポーツ用インナーブーツ１００ににおい付けを行うこができ、におい消しの作用を有することとなる。
【００４４】
次に、スポーツ用インナーブーツ１００の使用方法について、図３を用いて説明する。図３は、スポーツ用インナーブーツ１００の使用状態を示した斜視図である。まず、スポーツ用アウターブーツ１内にスポーツ用インナーブーツ１００を挿入して配設する。使用者がスノーボード又はスキーをする際は、このスポーツ用インナーブーツ１００をスポーツ用アウターブーツ１内に挿入したまま足を入れる。
【００４５】
ここで、スポーツ用インナーブーツ１００に滑り出し用シリコン系スプレーを塗布すると、使用者の足が長靴を履くように、さらに滑らかに内部に入るようになる。滑り出し用シリコンスプレーは、例えば、呉工業株式会社製のシリコン系スプレー（製品番号：Ｅ−１４２０−９８A）等を使用することができる。このほかに、フードシリコン系スプレーであってもよい。
【００４６】
スノーボード又はスキーをした後、スノーボーダー又はスキーヤーはスノーボード又はスキー用のアウターブーツ１からスポーツ用インナーブーツ１００を取り出すことができる。取り出したスポーツ用インナーブーツ１００を乾燥したり、洗ったりすることができる。
【００４７】
本実施形態のスポーツ用インナーブーツ１００によれば、底板部１０及び足包部２０の材料は、エチレン酢酸ビニル共重合体（ＥＶＡ）を含有させたものであるので、水や紫外線にも安定的であり、容易に内側を洗うことができる。洗っても水を含まないので、その乾燥時間が比較的短時間でできる。したがって、容易に清潔にすることができる。
【００４８】
しかも、熱可塑性プラスチックの他の材料を用いた場合と比べた場合、例えば発泡ウレタンを材料に用いたときに比べて、設備費を含めた製造コストを低減できる。このようにスポーツ用インナーブーツ１００によれば、成形加工性にすぐれ、耐候性、耐ストレスクラック性に優れている。したがって、比較的安価に、かつ、品質の良いスポーツ用インナーブーツ１００を提供することができる。
【００４９】
そして、スポーツ用インナーブーツ１００によれば、一のエチレン酢酸ビニル共重合体（ＥＶＡ）の含有率が０〜２８％、他のＥＶＡが１３〜４％で、エチレン酢酸ビニル共重合体材料（ＥＶＡ）の製品硬度が３０°以上４５°未満である場合には、反発性を有するとともに、いわゆる足入れの問題を防止することができる。使用者がインナーブーツを履いたときに、硬くて足当たりが悪く痛いと感じる場合が少なく、足入れ感が良い。
【００５０】
特に、酢酸ビニルの含有率が、１０〜４５％であるので、酢酸ビニルの含有率が低いものに比べて結晶性が低下し、柔軟性が増加し、使用者の足を支持するために十分な伸縮性と柔軟性を備えることができる。
【００５１】
また、本実施形態のスポーツ用インナーブーツ１００によれば、布地等による内外物のラミネートやコーティングは施されていない単一の材料からなる一体成形インナーブーツであるので、防水性を有し、乾燥の際に、表面乾燥で済ませることができ、乾燥時間を短縮化することができる。
【００５２】
また、スポーツ用インナーブーツ１００を偏肉構造としているので、スポーツ用インナーブーツ１００とアウターブーツの間に、部分的にクッション等の別部材を設ける必要がなく、クッション等に係る乾燥時間が短縮できるとともに製造コストを低くおさえることができる。さらに、クッション等は設けられていない単一の材料からなる一体成形インナーブーツであるので、クッション等の別部材を用いることなく、低コストで使用者の足の形状にフィットすることができる。
【００５３】
また、底板部１０は、足包部２０に一体的に成形されているので、底板部１０がインソールを兼ねることができる。さらに、底板部１０の踏まず部は、他の踏み付け部や踵部と比べて肉厚に形成されているので、使用者の足のいわゆる横アーチを崩さずに、開帳足を防止することができるとともに、スノーボード又はスキーに均等にバランス良く体重をかけやすくなっている。
【００５４】
なお、本実施形態のスポーツ用インナーブーツ１００においては、その表面にシボ加工が施されていてもよい。また、スポーツ用インナーブーツ１００の内側の底板部１０の上面の全面又は一部に貫通しない多数の凹部を配列して設けてもよい。この場合には、凹部は、汗を吸収せず、保温性の高い空気層を形成するため、保温性がよい。何度も洗って使用できるので、発汗時にも快適で履き心地が良い。
【００５５】
［成形原料変更テスト］
上記した第１の実施形態のスポーツ用インナーブーツを成形する際に、材質を種々変更し、成形性、および、成形されたスポーツ用インナーブーツの硬度、履き心地を調べた。当該硬度、履き心地の評価方法は以下の通りである。
【００５６】
＜成形性＞
各実施例においてスポーツ用インナーブーツを成形する際の成形性を、目視によって、下記の３段階で官能評価した。
○：外形の崩れ等が見られず、所望の形状に成形できる。
△：若干の発泡の不具合や型崩れが認められる。
×：発泡の不具合や型崩れが認められる。
【００５７】
＜硬度＞
各実施例で得られたスポーツ用インナーブーツを、気温−２０℃の雰囲気下で５時間放置した後、スポーツ用インナーブーツの硬度を、ゴム・プラスチック硬度計（株式会社テクロック社製デュアルメータ）を用いて、ＪＩＳ  Ｓ  ６０５０に従って測定されるＳＲＩＳ０１０１に準拠した方法で測定した。
【００５８】
＜履き心地＞
各実施例で得られたスポーツ用インナーブーツを、気温−２０℃の雰囲気下で５時間放置した後に履いた場合の感触を、下記の３段階で官能評価した。
○：適度な柔軟性を有しており良好なフィット感がある。
△：若干の柔軟性が認められるものの、フィット感が不十分である。
×：柔軟性がまったく認められない。
【００５９】
また、成形原料変更テストで用いた原料樹脂は、以下の通りである。
・樹脂Ａ：ＥＶＡ−１（エチレン７４％、酢酸ビニル２６％  ＭＦＲ値＝７．０ｇ／１０ｍｉｎ．）
・樹脂Ｂ：ＥＶＡ−２（エチレン６０％、酢酸ビニル４０％  ＭＦＲ値＝５２．０ｇ／１０ｍｉｎ．）
・樹脂Ｃ：ポリオレフィン（POLYOLEFIN）
・樹脂Ｄ：ポリオレフィンエラストマー（POLYOLEFIN, ELASTOMER）
・樹脂Ｅ：熱可塑性樹脂エラストマー−１（THERMOPASTIC ELSTOMER）
・樹脂Ｆ：熱可塑性樹脂エラストマー−２（THERMOPASTIC ELSTOMER）
ここで、樹脂Ｅは、柔らかくなる為に使う素材である。他方、樹脂Ｆは、商品の弾性が多少良くなる特性があるものである。
なお、上記した原料樹脂中には、予め、酸化亜鉛（ZINC OXIDE）、ステアリン酸亜鉛（ZINC STEARATE）、架橋剤（BIS <TERT-BATYLPEROXYISOPROPYL> BENZINE）、発泡剤（AZOBISFORMAMIDE AZODICARBAMIDE）、促進剤−１（PROMOTER）、促進剤−２（RAPID AGENT）、微細滑石粉（TALCPOWDER）、耐摩剤（WEAR RESISTANT AGENT）、ステアリン酸（STEARIC ACID）、二酸化チタン（TITANIUM DIOXIDE）が添加されている（それらの添加剤の成形品における比率を表１に示す）。
【００６０】
［実施例１］
上記した各合成樹脂を下記の表１の比率になるように混合し、その混合樹脂を用いて通常の方法により所定の温度で射出成形することによって、実施例１のスポーツ用インナーブーツを得た。ここで、成形機のシリンダー温度（ＥＶＡ樹脂を溶かす温度）は８０〜１００度（℃）、金型温度は１７５〜１８５度（℃）である。そして、得られたスポーツ用インナーブーツの硬度、履き心地を、上記した方法で評価した。評価結果を表２に示す。
【００６１】
［実施例２〜５］
原料樹脂等の比率を表１のように変更し、それ以外は、実施例１と同様にして、実施例２〜５のスポーツ用インナーブーツを得た。そして、得られたスポーツ用インナーブーツの硬度、履き心地を、上記した方法で評価した。評価結果を表２に示す。
【００６２】
【表１】
0006558749.tif 000002
【００６３】
【表２】
0006558749.tif 000003
【００６４】
（第２の実施形態）
図４は、第２の実施形態のスポーツ用インナーブーツ２００を示す斜視図である。第２の実施形態のスポーツ用インナーブーツ２００は、図４に示すように、後開口部２３０を有する足包部２２０と、後開口部２３０を閉塞し得るように形成した後開閉体２４０とを備えている。なお、図１と対応する部分に同一参照番号を付けて示す。
【００６５】
足包部２２０は、使用者の足を入れるための後開口部２３０を有する筒状部２２３を備えている。筒状部２２３は足包部２２０の上部が略筒状に形成されている。筒状部２２３の後部を口縁２２４から踝部２８にかけて切欠き部２２６を形成して拡開可能な後開口部２３０を形成する。この後開口部２３０を閉鎖し得るように後開閉体２４０を備える。
【００６６】
後開閉体２４０は、足包部２２０の踝部２８において上部側に延出するように一体的に形成されている。後開閉体２４０の上部は、脹脛部２２９の上端を使用者の脹脛に沿うようにさらに後部側に反らして形成されている。
【００６７】
第２の実施形態のスポーツ用インナーブーツ２００によれば、スポーツ用アウターブーツ内に挿入して配設されるスポーツ用インナーブーツ２００の、後開閉体２４０の下部を軸として後方方向に開き、必要に応じて後開口部２３０を拡開して、使用者の足を筒状部２２３からスポーツ用インナーブーツ２００内に入れることができる。このように使用者が履いたり脱いだりすることが容易にできる。
【００６８】
スノーボード又はスキーをした後、スノーボーダー又はスキーヤーはスノーボード又はスキー用のアウターブーツからスポーツ用インナーブーツ２００を取り出すことができる。取り出したスポーツ用インナーブーツ２００を乾燥したり、洗ったりすることができる。このスポーツ用インナーブーツ２００によれば、第１の実施形態のスポーツ用インナーブーツ１００と同様、洗っても水を含まないので、その乾燥時間を比較的短時間にすることができる。したがって、容易に清潔にすることができる。
【００６９】
（第３の実施形態）
図５は、第３の実施形態のスポーツ用インナーブーツ３００を示す斜視図である。第３の実施形態のスポーツ用インナーブーツ３００は、図５に示すように、側方開口部３３０を有する足包部３２０と、側方開口部３３０を閉塞し得るように形成した側方開閉体３４０とを備えている。なお、図１と対応する部分に同一参照番号を付けて示す。
【００７０】
足包部３２０は、使用者の足を入れるための側方開口部３３０を有する筒状部３２３を備えている。筒状部３２３は足包部３２０の上部が略筒状に形成されている。筒状部３２３の側部を口縁３２４から一方の踝部２８にかけて切欠き部３２６を形成して拡開可能な側方開口部３３０を形成する。この側方開口部３３０を閉鎖し得るように側方開閉体３４０を備える。
【００７１】
側方開閉体３４０は、足包部３２０の踝部２８に一体的に形成されている。側方開閉体３４０は、筒状部３２３の側方開口部３３０の内側に配設されており、使用の際には、側方開閉体３４０の下部を軸として側方方向に開き、必要に応じて側方開口部３３０を拡開して、使用者の足を筒状部３２３からスポーツ用インナーブーツ３００内に入れることができる。
【００７２】
第３の実施形態のスポーツ用インナーブーツ３００によれば、スポーツ用アウターブーツ内に挿入して配設されたスポーツ用インナーブーツ３００の、側方開閉体３４０の下部を軸として側方方向に開き、必要に応じて側方開口部３３０を拡開して、使用者の足を筒状部３２３からスポーツ用インナーブーツ３００内に入れることができるので、使用者が履いたり脱いだりすることが容易にできる。
【００７３】
スノーボード又はスキーをした後、スノーボーダー又はスキーヤーはスノーボード又はスキー用のアウターブーツからスポーツ用インナーブーツ３００を取り出すことができる。取り出したスポーツ用インナーブーツ３００を乾燥したり、洗ったりすることができる。このスポーツ用インナーブーツ３００によれば、第１又は第２の実施形態のスポーツ用インナーブーツ１００，２００と同様、洗っても水を含まないので、その乾燥時間が比較的短時間でできる。したがって、容易に清潔にすることができる。
【００７４】
（第４の実施形態）
図６は、第４の実施形態のスポーツ用インナーブーツ４００を示す斜視図である。第４の実施形態のスポーツ用インナーブーツ４００は、図６に示すように、いわゆる巻き込み型のインナーブーツである。なお、図１と対応する部分に同一参照番号を付けて示す。
【００７５】
いわゆる巻き込み型のインナーブーツとは、図１に示すスポーツ用インナーブーツ１００において、両切欠き部２６，２６のうち一方の切欠き部２６を形成せずに前開閉体４０の一方側と筒状部２３の一方側を連結したままとし、他方のみに切欠き部４２６を形成して片前開口部４３０を形成する。この片前開口部４３０を有する足包部２０の上部を筒状部４２３とする。片前開口部４３０を閉塞し得るように前開閉体４４０が筒状部４２３の切欠き部４２６に重なるように内側に巻き込むように配設される巻き込み型の構造とした。スポーツ用インナーブーツ４００は、この構成の足包部４２０を備えたものである。
【００７６】
すなわち、足包部４２０は、上部を略筒状に形成した筒状部４２３の前部を口縁４２４から甲部２５にかけて一条の切欠き部４２６を有する。そしてこの切欠き部４２６によって拡開可能な片前開口部４３０を形成する。この片前開口部４３０を閉鎖し得るように片前開口部４３０の内側に延出して巻き込まれるように配設される巻き込み型の前開閉体４４０を備える。
【００７７】
巻き込み型の前開閉体４４０は、足包部４２０に一体的に形成されている。巻き込み型の前開閉体４４０は、筒状部４２３の片前開口部４３０の内側に巻き込むように配設されており、使用の際には、前開閉体４４０の下部を軸として片前開口部４３０を拡開して、使用者の足を筒状部４２３からスポーツ用インナーブーツ４００内に入れることができる。
【００７８】
第４の実施形態のスポーツ用インナーブーツ４００によれば、スポーツ用アウターブーツ内に挿入して配設されたスポーツ用インナーブーツ４００の、前開閉体４４０の下部を軸として前方方向に開き、必要に応じて片前開口部４３０を拡開して、使用者の足を筒状部２２３からスポーツ用インナーブーツ４００内に入れることができるので、使用者が履いたり脱いだりすることが容易にできる。
【００７９】
スノーボード又はスキーをした後、スノーボーダー又はスキーヤーはスノーボード又はスキー用のアウターブーツからスポーツ用インナーブーツ４００を取り出すことができる。取り出したスポーツ用インナーブーツ４００を乾燥したり、洗ったりすることができる。このスポーツ用インナーブーツ４００によれば、第１、第２又は第３の実施形態のスポーツ用インナーブーツ１００，２００，３００と同様、洗っても水を含まないので、その乾燥時間が比較的短時間でできる。したがって、容易に清潔にすることができる。
【００８０】
なお、上記の実施の形態では、スノーボード又はスキー用インナーブーツに適用したスポーツ用インナーブーツについて説明したが、その材料が耐候性、低温可塑性を有しており、−５０℃まで可撓性があるので、アルペンスキー用インナーブーツ、スケート用インナーブーツ、アイスホッケー用インナーブーツその他のウインタースポーツ用インナーブーツ、ローラースケート用インナーブーツ、インラインスケート用インナーブーツ、登山用インナーブーツ、バイク用インナーブーツ、ゴルフ用インナーブーツその他のアウトドアスポーツ用インナーブーツにも同様にして適用することができる。また、作業靴用インナーブーツに適用することも同様にしてできる。さらにそれらのレンタルの用途に用いることができる。
【００８１】
また、上記の実施の形態のスノーボード又はスキー用インナーブーツ１００，２００，３００，４００を、レンタル用途に用いた場合には、防水性を有し、スポーツ用アウターブーツから取り出して容易に内側を洗うことができ、その乾燥時間が比較的短時間でできるので、何度でも繰り返して使用でき、しかも衛生的に使用できる。
【符号の説明】
【００８２】
１・・スノーボード又はスキー用のアウターブーツ
１０・・底板部
２０，２２０，３２０，４２０・・足包部
２１・・上面部
２２・・側面部
２３，２２３，３２３、４２３・・筒状部
２４，２２４，３２４，４２４・・口縁
２５・・甲部
２６，２２６，３２６，４２６・・切欠き部
２７・・踵部
２８・・踝部
２９，２２９・・脹脛部
３０・・前開口部
４０，４４０・・前開閉体
１００，２００，３００，４００・・スポーツ用インナーブーツ
２３０・・後開口部
２４０・・後開閉体
３３０・・側方開口部
３４０・・側方開閉体
４３０・・片前開口部
【図１】
0006558749.tif 000004
【図２】
0006558749.tif 000005
【図３】
0006558749.tif 000006
【図４】
0006558749.tif 000007
【図５】
0006558749.tif 000008
【図６】
0006558749.tif 000009